(57)【要約】      （修正有）【課題】既設の商品陳列什器に取り付けることのできる情報表示具を提供する。【解決手段】陳列バー６と該陳列バーを固定する什器バー固定部を備える既設の商品陳列具５へ、着脱可能に取り付けられる後付情報表示具であって、後端部が係合部材３と着脱可能に掛止できるスライド被掛止部を備えた情報表示バー２と、バー係合部３１に設けられた情報表示バー２と掛止するスライド掛止部２６を有するとともに、係合部材３の下方に位置して、什器バー固定部に着脱可能に取り付けられる略逆Ｕ字形状断面のバー係合部３１が、商品陳列具５に係合するとともに、バー係合部３１には陳列バー６を挿通する開口部３２を備え、係合幅調整部材を備える前方係合片３３と、後方係合片３５とを有するものである。【選択図】図３
0003167231.tif 000002
【実用新案登録請求の範囲】
【請求項１】
陳列バーと、陳列バー後端部に固定された陳列バーを什器バーへ固定するバー固定部を備える既設の商品陳列具へ、着脱可能に取り付けることができて、陳列商品の商品名や価格等を表示することを特徴とする後付情報表示具であり、後端部には、下部（底面）に掛止部挿入孔が設けられ、後方に向けて並行に立設された一対の被掛止突条が所定幅で形成されて、かつ、その両被掛止突条の間には、操作孔および被掛止爪を備えた矩形状の掛止部材が形成されるスライド被掛止部は、一箇所もしくは複数箇所に設けるとともに、略水平の水平棒部と水平棒部の先端が略直角に折れ曲がった垂直棒部からなる棒部とで構成されることで、表示具および係合部材を着脱可能に取り付けられることができることを特徴とする情報表示バーと、表示部の前面の端に保持片および保持補助片を設けて透光性を有する表示保護板を保持して、陳列商品の商品名や価格等を記載した名札類を収納できるとともに、表示部の背面に設けた取付部には、その底面から垂直上方に向かって情報表示バーの垂直棒部が挿入される挿入孔を備え、係止突部を設けて後方に向かう一箇所もしくは複数箇所の、情報表示バーの水平棒部が勘合される嵌合溝を形成する表示具と、係合部材の上面に一箇所もしくは複数箇所に設けられるスライド掛止部が、スライド基盤の上に、スライド被掛止部を掛止させるための一対の掛止突条を立設してなり、かつ、その掛止突条には、情報表示バーの非掛止爪に掛止する掛止爪を有する掛止部材が付設されて、その被掛止部材は、掛止部挿入孔から挿入して、両被掛止突条を、両掛止突条に対して、前方からスライドさせるように挿入すると、掛止部材の掛止爪に、被掛止部材の被掛止爪が弾発掛止し、スライド被掛止部をスライド掛止部に固定することができるうえ、被掛止部材に突設された操作片を引き上げることによって、その被掛止爪に対する掛止爪との掛止状態を解除して、スライド被掛止部をスライド掛止部から着脱可能に取り外すことができることを特徴とするとともに、係合部材の下方に設けられ、既設の商品陳列具に着脱可能に取り付けられる略逆Ｕ字形状断面のバー係合部で、バー係合部には、商品陳列バーを挿通するとともに左右方向に移動することを規制する開口部を備えるとともに、係合幅調整部材を備える前方係合片と、後方係合片を備えて、バー係合部に什器バー固定部を収容することができるとともに、既設の商品陳列具に係合部材を取り付けた状態において、係合部材の係合幅調整部材の後方端面と什器バー前方板部が当接し、係合部材の後方係合片の裏面と商品陳列具の什器バー後方板部が当接し、該後付情報表示具の係合部材の係合天板部と什器バー天板部が当接することで、バー係合部に什器バー固定部を収容することができることを特徴とする係合部材から構成される後付情報表示具。
【考案の詳細な説明】
【技術分野】
【０００１】  本考案は、陳列バーと陳列バー後端部に固定された陳列バーを什器バーへ固定するバー固定部を備える既設の商品陳列具へ、着脱可能に取り付けることが可能であって、陳列商品の商品名や価格を表示する後付情報表示具に関するものである。
【背景技術】
【０００２】  従来、店舗内の商品陳列棚で用いられる商品陳列具は、図２の符号５で示されるような陳列棚の水平方向に延出する什器バー８に固定される什器バー固定部７と、什器バー固定部７の上方に位置する陳列バー後端部３７が什器バー天板部３９に固定される陳列バー６からなる商品陳列具が知られている。また、陳列バー６の長さは１００ｍｍから３５０ｍｍがあると共に、陳列バー６の太さには径６ｍｍ、径４ｍｍがあることが知られている。【０００３】  ２００４年４月１日より消費税を含んだ価格表示が義務付けられることから、これらの商品陳列具に陳列される商品は明確な表示と、既設の商品陳列什器および商品陳列具を用いても容易に表示できるな表示用具が望まれている。
【考案の概要】
【考案が解決しようとする課題】
【０００４】  しかしながら、陳列バーに、別途、商品表示具を取り付けることは可能であるが、前述のような、多種多様な商品陳列具に対応する商品表示具を用意することは製造コストがかかると共に、製造現場および商品を陳列する店舗で、商品表示具を管理することが煩雑になる問題があった。【０００５】  また、これまで商品陳列具へ着脱可能に取り付けることが可能であって、陳列商品の商品名や価格を表示する後付カード表示具はあったが、情報を表示する表示具と、表示具を固定する情報表示バーと、既設の什器バーに係合するバー係合部と、これらを含む部品郡を組み付けた後には、容易に着脱することができず、搬送の際の梱包・搬送・保管等の際に余分なスペースを必要とするという問題題があるとともに、前述のとおり、長さは１００ｍｍから３５０ｍｍがある商品陳列バーに応じた長さの情報表示バーを有する後付カード表示具を用意する必要があり、製造コストがかかる問題があった。【０００６】  従って、本考案の目的は少なくとも、商品陳列具のバー部材に係合するバー係合部と、商品の価格等を表示する情報表示バーを着脱可能に取り付けることが可能であって、陳列バーの径６ｍｍ、径４ｍｍを含めた市場に流通する陳列バーの太さに応じるとともに、陳列バーの長さに応じて、長さを選択することのできる情報表示バーを有して、さらに、運搬搬送を容易にする後付情報表示具を提供することを目的とする。
【課題を解決する為の手段】
【０００７】  そこで、本考案は上記のような実情を鑑みたものであり、上記目的を達成するために本考案は、次の技術的手段を講じた。
すなわち本考案は、商品情報・価格等を表示する表示具と、表示具を着脱可能となる情報表示バーと、情報表示バーを掛止するとともに既設の商品陳列具に係合する係合部材により、商品陳列バー２と商品陳列バーを固定するバー固定部３を備える既設の商品陳列具１へ、着脱可能に取り付けられることを特徴とする後付情報表示具を提供するものである。
【０００８】  この場合、情報表示バーは、後端部には、下部（底面）に掛止部挿入孔が設けられ、後方に向けて並行に立設された一対の被掛止突条が所定幅で形成されて、かつ、その両被掛止突条の間には、操作孔および被掛止爪を備えた矩形状の掛止部材が形成されるスライド掛止部とともに、略水平の水平棒部と水平棒部の先端が略直角に折れ曲がった垂直棒部からなる棒部で構成されることで、表示具および係合部材を着脱可能に取り付けられることができる。
【０００９】  さらに、前述のスライド被掛止部は、一箇所もしくは複数箇所に設けることによって、商品陳列具の陳列バーの長さやその形状に応じて、情報表示バーの長さを選択することができる。
【００１０】  また、表示部の前面の端に保持片および保持補助片を設けて透光性を有する表示保護板を保持し、表示部と表示保護板との間に商品情報・価格等を記載した名札類を収納できるとともに、表示部の背面に設けた取付部には、その底面から垂直上方に向かって情報表示バーの垂直棒部が挿入される挿入孔を備え、係止突部を設けて後方に向かう一箇所もしくは複数箇所の、情報表示バーの水平棒部が勘合される嵌合溝を形成することで、挿入孔のいずれかに、情報表示バーの棒部を着脱可能となることができる。
【００１１】  また、係合部材の上面に設けられるスライド掛止部は、スライド基盤の上に、スライド被掛止部を掛止させるための一対の掛止突条を立設してなり、かつ、その掛止突条には、情報表示バーの非掛止爪に掛止する掛止爪を有する掛止部材が付設されて、その被掛止部材は、掛止部挿入孔から挿入して、両被掛止突条を、両掛止突条に対して、前方からスライドさせるように挿入すると、掛止部材の掛止爪に、被掛止部材の被掛止爪が弾発掛止し、スライド被掛止部をスライド掛止部に固定することができるうえ、被掛止部材に突設された操作片を引き上げることによって、その被掛止爪に対する掛止爪との掛止状態を解除して、スライド被掛止部をスライド掛止部から着脱可能に取り外すことができる。
【００１２】  さらに、係合部材の上面に設けられるスライド掛止部は、一箇所もしくは複数箇所に設けることによって、商品陳列具の陳列バーの長さやその形状に応じて、情報表示バーの長さを選択することができる。
【００１３】  また、係合部材の下方に設けられ、既設の商品陳列具に着脱可能に取り付けられる略逆Ｕ字形状断面のバー係合部で、バー係合部には、商品陳列バーを挿通するとともに左右方向に移動することを規制する開口部を備えるとともに、係合幅調整部材を備える前方係合片と、後方係合片を備えて、バー係合部に什器バー固定部を収容することができる。
【００１４】  この場合、既設の商品陳列具に係合部材を取り付けた状態において、係合部材の前方係合片の後方端面と什器バー前方板部が当接し、係合部材の後方係合片の裏面と商品陳列具の什器バー後方板部が当接し、該後付情報表示具の係合部材の係合天板部と什器バー天板部が当接することで、バー係合部に什器バー固定部を収容することができる。
【００１５】  この場合、既設の商品陳列具に係合部材を取り付けた状態において、係合部材の係合幅調整部材の後方端面と什器バー前方板部が当接し、係合部材の後方係合片の裏面と商品陳列具の什器バー後方板部が当接し、該後付情報表示具の係合部材の係合天板部と什器バー天板部が当接することでも、バー係合部に什器バー固定部を収容することができる。
【００１６】  さらに、構造が極めて簡単であることから、係合部材の上面に設けられるスライド基盤と、係合天板部の間隔を異なるように成形することによって、商品陳列具の陳列バーの長さやその形状や、陳列する商品形状に対応することも容易である。
【考案の実施形態】
【００１７】  以下図面に基づいて本考案の実施の形態を説明する。図１は既設の商品陳列具に取り付ける前の状態の後付情報表示具１の斜視図、図２は既設の商品陳列具の斜視図、図３は既設の商品陳列具に取り付けた後の状態の後付情報表示具１の斜視図、図６は図１に示す矢印Ａ方向から見た情報表示バーの底面図である。本例の後付情報表示具１は、図２に示すような、陳列バー６と陳列バーを固定する３７陳列バー後端部に固定された什器バー固定部７を備える既設の商品陳列具５に、着脱可能に取り付けられる後付型の情報表示具である。什器バー固定具７は、通常、商品陳列棚の左右方向に延出する什器バー８に固定されるものである。なお、本明細書において前方とは、既設の商品陳列具に後付情報表示具を取り付けた際に、商品が現れる側、すなわち顧客側を示し、後方とはその反対側を示す。
【００１８】  情報表示バー１は、後端部には、図６に示すように、下部（底面）に掛止部挿入孔９が設けられ、後方に向けて並行に立設された一対の被掛止突条１０が所定幅で形成されて、かつ、その両被掛止突条の間には、操作孔１１および被掛止爪１２と、操作片１８を備えた矩形状の被掛止部材１３が形成される一箇所もしくは複数箇所のスライド被掛止部１４とともに、略水平の水平棒部１５と水平棒部の先端が略直角に折れ曲がった垂直棒部１６からなる棒部１７で構成される。
【００１９】  表示具４は、図１および、図３に示すように、表示部１８の前面の端に保持片１９および保持補助片２０を設けて透光性を有する表示保護板２１を保持できるとともに、図４および、図５に示すように、表示部１８の背面に設けた取付部２２には、その底面から垂直上方に向かって情報表示バー２の垂直棒部１６が挿入される挿入孔２３を備え、係止突部２４を設けて後方に向かう一箇所もしくは複数箇所の、情報表示バー２の水平棒部１７５が勘合される嵌合溝２５を形成する。
【００２０】  係合部材３は、係合部材３の上面にスライド掛止部２６を設け、スライド基盤２７の上に、スライド被掛止部１４を掛止させるための一対の掛止突条２９を立設してなり、かつ、その掛止突条２９には、情報表示バー２の被掛止爪１２に掛止する掛止爪３０を有する掛止部材２８が付設され、掛止部材２８は、掛止部挿入孔９から挿入して、両掛止突条２９を、両被掛止突条１０に対して、前方からスライドさせるように挿入すると、掛止部材２２８の掛止爪３０に、被掛止部材１３の被掛止爪１２が弾発掛止し、スライド被掛止部１４をスライド掛止部２６に固定することができるうえ、被掛止部材１３に突設された操作片１８を引き上げることによって、その被掛止爪１２に対する掛止爪３０との掛止状態を解除して、スライド被掛止部１４をスライド掛止部２６から着脱可能に取り外すことができる。
【００２１】  さらに、係合部材の上面に設けられるスライド掛止部は、一箇所もしくは複数箇所に設けることによって、商品陳列具の陳列バーの長さやその形状に応じて、情報表示バーの長さを選択することができる。
【００２２】  また、係合部材３は、その下方に設けられ既設の商品陳列具に着脱可能に取り付けられる略逆Ｕ字形状断面のバー係合部３１で、バー係合部３１には、商品陳列バー６を挿通するとともに左右方向に移動することを規制する開口部３２を備えるとともに、係合幅調整部材３４を備える前方係合片３３と、後方係合片３５を備えて、バー係合部３１に什器バー固定部７を収容することができる。
【００２３】  この場合、既設の商品陳列具５に係合部材３を取り付けた状態において、係合部材３の前方係合片３３の後方端面と什器バー前方板部３８が当接し、係合部材３の後方係合片３５の裏面と商品陳列具の什器バー後方板部４０が当接し、該後付情報表示具の係合部材３の係合天板部３６と什器バー天板部３９が当接することで、バー係合部３１に什器バー固定部７を収容することができる。
【００２４】  この場合、既設の商品陳列具５に係合部材３を取り付けた状態において、係合部材３の係合幅調整部材３４の後方端面と什器バー前方板部３８が当接し、係合部材３の後方係合片３５の裏面と商品陳列具５の什器バー後方板部４０が当接し、該後付情報表示具の係合部材３の係合天板部３６と什器バー天板部３９が当接することでも、バー係合部３１に什器バー固定部７を収容することができる。
【００２５】なお、上記した実施の形態は例示的なものであって限定的なものではない。すなわち、本考案の範囲は前述した実用新案請求の範囲によって示され、その請求項の意味に入るすべての変形例は本考案に含まれるものである。
【考案の効果】
【００２６】  本考案の後付情報表示具は、少なくとも、既設の商品陳列具に、容易に取り付けることは可能である。そのため、多種多様な商品陳列具に対応する商品表示具を用意する製造コストを極力押さえることができるうえ、在庫管理が容易となる。
【００２７】  また、前述のとおり、長さは１００ｍｍから３５０ｍｍがある既設の商品陳列具の陳列バーの長さやその形状や、陳列バーに陳列する商品の形状に応じて、製造や管理段階だけでなく、実際に商品を陳列する店舗においても、情報表示バーの長さを容易に選択することが可能となる。また、構造が極めて簡単であるとともに、極めて好適である等の幾多の実用効果を奏するものである。
【図面の簡単な説明】
【００２８】
【図１】既設の商品陳列具に取り付ける前の状態の後付情報表示具１の斜視図
【図２】既設の商品陳列具の斜視図
【図３】既設の商品陳列具に取り付けた後の状態の後付情報表示具１の斜視
【図４】表示具の後方から見た背面図
【図５】表示具の底面図
【図６】図１に示す矢印Ａ方向から見た情報表示バーの底面図
【図７】図６に示す矢印Ｂ方向から見た情報表示バーの断面図
【図８】図３に示す既設の商品陳列具に取り付けた状態の後付情報表示具１の側面図
【図９】表示具の後方から見た斜視図
【図１０】図８に示す矢印Ｃ方向から見た情報表示バーの断面図
【符号の説明】
【００２９】１  後付情報表示具
２  情報表示バー
３  係合部材
４  表示具
５  商品陳列具
６  陳列バー
７  什器バー固定部
８  什器バー
９  掛止部挿入孔
１０  被掛止突条
１１  操作孔
１２  被掛止爪
１３  被掛止部材
１４  スライド被掛止部
１５  水平棒部
１６  垂直棒部
１７  棒部
１８  表示部
１９  保持片
２０  保持補助片
２１  表示保護板
２２  取付部
２３  挿入孔
２４  係止突部
２５  嵌合溝
２６  スライド掛止部
２７  スライド基盤
２８  掛止部材
２９  掛止突条
３０  掛止爪
３１  バー係合部
３２  開口部
３３  前方係合片
３４  係合幅調整部材
３５  後方係合片
３６  係合天板部
３７  陳列バー後端部
３８  什器バー前方板部
３９  什器バー天板部
４０  什器バー後方板部
【図１】
0003167231.tif 000003
【図２】
0003167231.tif 000004
【図３】
0003167231.tif 000005
【図４】
0003167231.tif 000006
【図５】
0003167231.tif 000007
【図６】
0003167231.tif 000008
【図７】
0003167231.tif 000009
【図８】
0003167231.tif 000010
【図９】
0003167231.tif 000011
【図１０】
0003167231.tif 000012